(57)【特許請求の範囲】
【請求項１】
画像形成の用紙設定条件のうち、少なくとも１つ以上の用紙設定条件を用紙プロファイルとして登録が可能で、かつ登録した用紙プロファイルを呼び出して表示操作部に前記用紙プロファイルの一覧画面を表示可能な制御部であって、
前記用紙プロファイルに、給紙トレイの使用実績を関連付けて登録し、前記一覧画面上で、用紙プロファイル毎に前記給紙トレイの使用実績を参照可能とすることを特徴とする画像形成制御部。
【請求項２】
前記表示操作部を通して前記給紙トレイの選択と非選択とが切り替え可能であり、給紙トレイの選択が行われた場合、前記給紙トレイに対する前記用紙プロファイルの選択を可能にし、
前記用紙プロファイル一覧の呼び出しは、前記用紙プロファイルの選択をする対象の給紙トレイが選択された後に実行されることを特徴とする請求項１に記載の画像形成制御部。
【請求項３】
画像形成の用紙設定条件のうち、少なくとも１つ以上の用紙設定条件を用紙プロファイルとして登録が可能で、かつ登録した用紙プロファイルを呼び出して表示操作部に前記用紙プロファイルの一覧画面を表示可能な制御部であって、
前記用紙プロファイルに、給紙トレイの使用実績を関連付けて登録し、前記一覧画面上で用紙プロファイルと前記給紙トレイの使用実績とを参照可能とし、
さらに前記表示操作部を通して前記給紙トレイの選択と選択された前記給紙トレイに対する前記用紙プロファイルの選択を可能にし、
前記用紙プロファイル一覧の呼び出しは、前記用紙プロファイルの選択をする対象の給紙トレイが選択された後に実行され、
前記対象の給紙トレイを選択後に呼び出された用紙プロファイルについて、対象の給紙トレイでの印刷実績を有するものに限って一覧画面に表示するか前記印刷実績の有無に拘わらず一覧画面として表示するかを、切り換え可能であることを特徴とする画像形成制御部。
【請求項４】
前記切り換えを前記表示操作部を通した操作入力により実行可能にすることを特徴とする請求項３記載の画像形成制御部。
【請求項５】
画像形成の用紙設定条件のうち、少なくとも１つ以上の用紙設定条件を用紙プロファイルとして登録が可能で、かつ登録した用紙プロファイルを呼び出して表示操作部に前記用紙プロファイルの一覧画面を表示可能な制御部であって、
前記用紙プロファイルに、給紙トレイの使用実績を関連付けて登録し、前記一覧画面上で用紙プロファイルと前記給紙トレイの使用実績とを参照可能とし、
さらに前記表示操作部を通して前記給紙トレイの選択と選択された前記給紙トレイに対する前記用紙プロファイルの選択を可能にし、
前記用紙プロファイル一覧の呼び出しは、前記用紙プロファイルの選択をする対象の給紙トレイが選択された後に実行され、
前記対象の給紙トレイで使用実績のある用紙プロファイルのみを抽出し、用紙プロファイル一覧画面に表示可能なことを特徴とする画像形成制御部。
【請求項６】
前記給紙トレイの使用実績に、個々の使用給紙トレイでの印刷実績を含むことを特徴とする請求項１〜５のいずれか１項に記載の画像形成制御部。
【請求項７】
前記給紙トレイの使用実績に、個々の使用給紙トレイでの印刷実績の累計を含むことを特徴とする請求項１〜６のいずれか１項に記載の画像形成制御部。
【請求項８】
前記給紙トレイの使用実績に、個々の使用給紙トレイでの印刷実績を含むことを特徴とする請求項６または７に記載の画像形成制御部。
【請求項９】
印刷ジョブを管理することを特徴とする請求項１〜８のいずれか１項に記載の画像形成制御部。
【請求項１０】
請求項１〜９のいずれか１項に記載の画像形成制御部と、
前記画像形成制御部で制御される表示操作部と、を備えることを特徴とする画像形成装置。
【発明の詳細な説明】
【技術分野】
【０００１】
この発明は、画像形成の用紙設定条件の１つ以上を用紙プロファイルとして登録が可能で、登録した用紙プロファイルを呼び出して操作表示部に一覧画面で表示可能とする画像形成制御部および該画像形成制御部を備える画像形成装置に関する。
【背景技術】
【０００２】
複写機、プリンタ、ファクシミリ、及びこれらの諸機能を備えた複合機等の電子写真方式の画像形成装置においては、原稿に対応した潜像を感光体に形成し、この潜像にトナーを付与することによって顕像化し、この顕像化されたトナー像を用紙に転写し、この後、用紙のトナー像を定着装置で定着して排紙している。用紙は、給紙トレイに収納されて順次給紙される。この画像形成装置では、通常は複数の給紙トレイを備え、各給紙トレイ毎に用紙設定条件を管理している。用紙設定条件は、表示操作部を通してオペレータが設定可能であり、用紙設定条件に相当する内容は、紙種名称でその内容を用紙プロファイルとしてカスタム登録することできる。また、登録されている紙種名称を選択することにより各給紙トレイの用紙設定条件を決定することができる（例えば特許文献１）。用紙設定条件には紙種、厚さ、坪量、用紙のサイズ、調整内容などが含まれる。
また、特許文献１の画像形成装置では、カスタム登録された紙種名称の印刷実行履歴を記録可能にして、紙種名称で印刷要求された印刷の実行状況を容易に把握することができる。
【先行技術文献】
【特許文献】
【０００３】
【特許文献１】特開２００８−６２５１８号公報
【発明の概要】
【発明が解決しようとする課題】
【０００４】
なお、用紙プロファイルは、複数の登録が可能であり、同一の用紙への出力を行う際に再度呼び出して使用する形態をとることが多い。微妙に調整値を変更した複数の用紙プロファイルを持つケースが多く、その数は多数（例えば５００件）になり、雑多になる場合がある。このため、ユーザーは用紙プロファイルに名称を付け、それをヒントとして使用時に呼び出しを行う。しかし、それでもそれらのプロファイルは実際の印刷に使用されたものかどうかの判別がつきにくく、類似したプロファイルの内どれを使用するのがベストか判断できない場合がある。
また、用紙プロファイルは使用するトレイとの関係が重要だが（＝同一の用紙プロファイルでも別トレイでは条件が異なる）、プロファイルにはトレイとの関連付けが無いため、前記同様に選択時に判断にまよう。
また、以下２点の問題もある。
（１）現在使用したトレイで使われたことのある用紙プロファイルがどれか判断が付かない。
（２）テスト的に使用された用紙プロファイルか印刷に実際に使用されたプロファイルか判断が付かない。
【０００５】
本発明は、上記事情を背景としてなされたものであり、用紙プロファイルと給紙トレイの使用実績とを関連付けかつ表示可能とすることで類似した用紙プロファイルが多数存在する場合であっても、容易にユーザーが判断することを可能にする画像形成制御部および画像形成装置を提供することを目的とする。
【課題を解決するための手段】
【０００６】
すなわち、本発明の画像形成制御部のうち第１の本発明は、画像形成の用紙設定条件のうち、少なくとも１つ以上の用紙設定条件を用紙プロファイルとして登録が可能で、かつ登録した用紙プロファイルを呼び出して表示操作部に前記用紙プロファイルの一覧画面を表示可能な制御部であって、
前記用紙プロファイルに、給紙トレイの使用実績を関連付けて登録し、前記一覧画面上で、用紙プロファイル毎に前記給紙トレイの使用実績を参照可能とすることを特徴とする。
【０００７】
上記本発明によれば、用紙プロファイルに給紙トレイの使用実績が関連付けられるので、これを表示操作部の一覧画面で参照して、容易に用紙プロファイルの判断をすることができる。
【０００８】
なお、本発明の画像形成制御部は、機械、環境の状態を含め、最適な条件で印刷するために用紙のプロファイルの設定（坪量、用紙種類、サイズ、表裏調整値、プロセス調整など）を行い、そのプロファイルを登録できる構成を有している。
用紙プロファイルの登録は、不揮発のメモリー、ＨＤＤなどの記憶部に対し行う。
用紙プロファイルと給紙トレイの使用実績とを関連付ける形態は、用紙プロファイル内に使用実績を登録する構成に限定されない。例えば、用紙プロファイルのテーブルとは別に、用紙プロファイルに対する使用実績を記録するテーブルを設けて互いに関連付けするようにしてもよい。
【０００９】
用紙の使用実績としては、使用給紙トレイが含まれ、さらに印刷実績などを含むことができる。印刷実績としては、個々の使用給紙トレイの印刷実績や使用給紙トレイの累積した印刷実績などを挙げることができる。印刷実績としては、印刷枚数、ジョブ数、印刷時間などが挙げられる。これらのいずれか、または複数を印刷実績として用紙プロファイルに関連付けることができる。
【００１０】
また、表示操作部は、複写機、プリンター等の画像形成装置の機能設定、実行条件などを設定できるものが挙げられる。表示操作部は、ＣＲＴ、液晶、ＥＬ等の縦型表示パネル部と表示パネルの釦位置に対応した座標位置の検出を行うタッチパネル、マウス等の入力装置部を含むものが例示される。
【００１１】
また、画像形成制御部は、ＣＰＵとこれを動作させるプログラムとを主構成とし、その他に、不揮発メモリー、ＲＡＭなどの記憶部を含むことができる。画像形成制御部は、画像形成装置の本体内に備えられて画像形成装置全体を制御するもので構成することができ、また、画像形成装置の本体の外部にあって、ネットワークなどによって画像形成装置に接続されるものであってもよい。
【００１５】
第２の本発明の画像形成制御部は、前記第１の本発明において、前記表示操作部を通して前記給紙トレイの選択と非選択とが切り替え可能であり、給紙トレイの選択が行われた場合、前記給紙トレイに対する前記用紙プロファイルの選択を可能にし、
前記用紙プロファイル一覧の呼び出しは、前記用紙プロファイルの選択をする対象の給紙トレイが選択された後に実行されることを特徴とする。
【００１６】
第３の本発明の画像形成制御部は、画像形成の用紙設定条件のうち、少なくとも１つ以上の用紙設定条件を用紙プロファイルとして登録が可能で、かつ登録した用紙プロファイルを呼び出して表示操作部に前記用紙プロファイルの一覧画面を表示可能な制御部であって、
前記用紙プロファイルに、給紙トレイの使用実績を関連付けて登録し、前記一覧画面上で用紙プロファイルと前記給紙トレイの使用実績とを参照可能とし、
さらに前記表示操作部を通して前記給紙トレイの選択と選択された前記給紙トレイに対する前記用紙プロファイルの選択を可能にし、
前記用紙プロファイル一覧の呼び出しは、前記用紙プロファイルの選択をする対象の給紙トレイが選択された後に実行され、前記対象の給紙トレイを選択後に呼び出された用紙プロファイルについて、対象の給紙トレイでの印刷実績を有するものに限って一覧画面に表示するか前記印刷実績の有無に拘わらず一覧画面として表示するかを、切り換え可能であることを特徴とする。
【００１７】
上記本発明によれば、対象の給紙トレイでの印刷実績を有するものに限って一覧画面に表示する場合と、印刷実績の有無に拘わらず一覧画面として表示する場合とに切り換えることができ、そのときの状況やユーザーの希望に沿った表示形態にすることができる。
【００１８】
第４の本発明の画像形成制御部は、前記第３の本発明において、前記切り換えを前記表示操作部を通した操作入力により実行可能にすることを特徴とする。
【００１９】
上記本発明によれば、表示操作部を通したユーザーの操作によって上記表示を切り換えることができる。
【００２０】
第５の本発明の画像形成制御部は、画像形成の用紙設定条件のうち、少なくとも１つ以上の用紙設定条件を用紙プロファイルとして登録が可能で、かつ登録した用紙プロファイルを呼び出して表示操作部に前記用紙プロファイルの一覧画面を表示可能な制御部であって、
前記用紙プロファイルに、給紙トレイの使用実績を関連付けて登録し、前記一覧画面上で用紙プロファイルと前記給紙トレイの使用実績とを参照可能とし、
さらに前記表示操作部を通して前記給紙トレイの選択と選択された前記給紙トレイに対する前記用紙プロファイルの選択を可能にし、
前記用紙プロファイル一覧の呼び出しは、前記用紙プロファイルの選択をする対象の給紙トレイが選択された後に実行され、前記対象の給紙トレイで使用実績のある用紙プロファイルのみを抽出し、用紙プロファイル一覧画面に表示可能なことを特徴とする。
【００２１】
上記本発明によれば、対象の給紙トレイで使用実績のある用紙プロファイルのみを一覧に表示することで、使用実績のある用紙プロファイルをユーザーが容易に選択することができる。
【００２２】
第６の本発明の画像形成制御部は、前記第１〜第５の本発明のいずれかにおいて、前記給紙トレイの使用実績に、個々の使用給紙トレイでの印刷実績を含むことを特徴とする。
第７の本発明の画像形成制御部は、前記第１〜第６の本発明のいずれかにおいて、前記給紙トレイの使用実績に、個々の使用給紙トレイでの印刷実績の累計を含むことを特徴とする。
第８の本発明の画像形成制御部は、前記第６または第７の本発明において、前記給紙トレイの使用実績に、個々の使用給紙トレイでの印刷実績を含むことを特徴とする。
第９の本発明の画像形成制御部は、前記第１〜第８の本発明のいずれかにおいて、印刷ジョブを管理することを特徴とする。
【００２３】
上記本発明によれば、ジョブの予約、保存、実行、削除などの管理を画像形成制御部により行うことができる。
【００２４】
第１０の本発明の画像形成装置は、前記第１〜第９の本発明のいずれかに記載の画像形成制御部と、前記画像形成制御部で制御される表示操作部と、を備えることを特徴とする。
【発明の効果】
【００２５】
本発明によれば、以下の効果がある。
（１）類似構成の用紙プロファイルが多々存在する場合であっても、使用給紙トレイでの絞り込み、使用実績から、使用すべきプロファイルの絞込みが容易となる。
（２）使用していないプロファイルを判断可能であり、削除の判断が可能となる。
【図面の簡単な説明】
【００２６】
【図１】本発明の一実施形態に係る画像形成装置の構成例を示す図である。
【図２】同じく、画像形成装置のブロック構成例を示す図である。
【図３】同じく、各給紙トレイの用紙設定条件の設定を行う給紙トレイ設定画面を示す図である。
【図４】従来の用紙プロファイル一覧画面を示す図である。
【図５】本発明の一実施形態に係る用紙プロファイル一覧画面を示す図であり、全ての用紙プロファイルが表示されている。
【図６】同じく、用紙プロファイル一覧画面を示す図であり、現在の給紙トレイで使用実績のある用紙プロファイルに限定して表示されている。
【図７】同じく、用紙プロファイルに給紙トレイの使用実績を関連付ける手順を示すフローチャートである。
【図８】同じく、現在の給紙トレイに該当する用紙プロファイルの表示手順を示すフローチャートである。
【図９】同じく、用紙プロファイル一覧から特定の用紙プロファイルを削除する手順を示すフローチャートである。
【発明を実施するための形態】
【００２７】
以下に、本発明の一実施形態を添付図面に基づいて説明する。
図１は、画像形成装置全体の中央断面図であり、機械的な構成を示している。以下に、その構成を説明する。
画像形成装置１は、その上部側に、ＣＣＤ１３１を含むスキャナー部１３０、自動原稿搬送装置（ＡＤＦ）１３５が設けられて原稿の画像読取が可能になっている。また、画像形成装置１の上部側で、プラテンガラスが位置しない箇所に、タッチパネルからなる操作部１４０が設けられて、操作者による操作および情報の表示が可能になっている。該操作部１４０は、本発明の表示操作部に相当するものである。
【００２８】
また、画像形成装置１の下部側には、複数の給紙トレイ１６０（図では３段）が配置され、さらに画像形成装置１に付設するようにして同じく給紙トレイとなる大容量給紙トレイ１６１が配置されている。画像形成装置本体内には、給紙トレイから給紙される用紙を搬送する搬送路が設けられており、該搬送路途中に、ＬＤ部１５２、感光体１５３、帯電器１５４、現像器１５５、転写部１５６、定着器１５７などで構成されるプリンター部１５０が設けられており、該プリンター部１５０は、本発明の画像形成部に相当し、スキャナー部１３０から得られた画像データおよび、設定された画像形成条件に基づいて用紙に画像を形成する予約ジョブを実行する。
【００２９】
帯電器１５４、現像器１５５、転写部１５６等は、感光体１５３の周囲に配置されている。帯電器１５４は、画像書込み前に感光体１５３の表面を一様に帯電する。ＬＤ部１５２は、表面が一様に帯電された感光体１５３に半導体レーザを照射することにより感光体１５３に静電潜像を形成する。現像器１５５は、ＬＤ部１５２によって感光体１５３に形成された静電潜像をトナー部材によって現像する。この現像処理によって感光体１５３にトナー画像が形成される。転写部１５６は、給紙トレイ１６０や大容量給紙トレイ１６１から搬送されてきた用紙に感光体１５３のトナー画像を転写する。トナー像が転写された用紙は、感光体１５３から分離されて定着器１５７に搬送される。感光体１５３に残留したトナー部材は、クリーニング部によって除去される。
【００３０】
定着器１５７は、搬送された用紙を加熱することにより用紙の表面側に転写されたトナー画像を定着する。定着処理が施された用紙は、片面印刷の場合にはそのまま後処理装置（ＦＮＳ）１８０に搬送される。後処理装置（ＦＮＳ）１８０では、ステープル、パンチ、断裁などが行われる。一方、両面印刷の場合には、定着後の用紙がスイッチバックされて当該用紙の裏面側にプリンター部１５０で所定の画像が転写される。そして、両面に画像が形成された用紙は定着後に後処理装置（ＦＮＳ）１８０に搬送される。
【００３１】
図２は、デジタル複合機（コピア、プリンタ−、スキャナー）である画像形成装置１の回路ブロックを示す図であり、その内容を以下に詳細に説明する。
画像形成装置１は、制御ブロック１１０とスキャナー部１３０と操作部１４０とプリンター部１５０とを有するデジタルコピア本体と、ＬＡＮ４を通して端末３などの外部機器から入力される画像データを処理し、またはスキャナー部１３０で得た画像データを、ＬＡＮ４を通して端末３などの外部機器に転送可能にする画像処理手段（プリント＆スキャナーコントローラー）１６０とを備えている。
【００３２】
制御ブロック１１０には前記画像処理手段１６０に接続されたＰＣＩバス１１２を有しており、該ＰＣＩバス１１２にＤＲＡＭ制御ＩＣ１１１が接続されている。ＤＲＡＭ制御ＩＣ１１１には、圧縮メモリー１２０とページメモリー１２１とからなる画像メモリーが接続されている。圧縮メモリー１２０は、ジョブスケジュール画面や原稿などの圧縮画像データを格納するためのメモリーであり、ページメモリー１２１は、画像形成前にプリント対象の非圧縮画像データを一時的に格納するためのメモリーである。
【００３３】
また、ＰＣＩバス１１２に接続されたＨＤＤ１２７は、画像形成装置１や画像処理手段１６０に接続される端末３などにより生成されたジョブ等を保存する。ＨＤＤ１２７には、複数のジョブが保存される。各ジョブには、ジョブ全体の情報とページ単位の情報と画像データとが含まれている。ジョブ全体の情報（以下、ジョブ設定情報という）には、例えば、ジョブの識別番号や使用トレイ情報、用紙設定条件等が含まれている。
【００３４】
また、制御ブロック１１０には、画像制御ＣＰＵ１１３を備えており、該画像制御ＣＰＵ１１３に前記ＤＲＡＭ制御ＩＣ１１１が接続されている。
また、画像制御ＣＰＵ１１３には、ＲＯＭ１１４と不揮発メモリー１１５が接続されている。該不揮発メモリー１１５には、画像形成装置１の初期印刷設定情報や、プロセス制御パラメータ等の機械設定情報、ユーザー設定値、各給紙トレイの用紙設定条件データ、予約ジョブの管理情報、用紙プロファイル、給紙トレイの使用実績などが格納されており、ＲＯＭ１１４には、上記画像制御ＣＰＵ１１３を動作させるためのプログラムなどが格納されている。なお、上記用紙プロファイルと該用紙プロファイルを用いた給紙トレイの使用実績は関連付けて格納されている。
【００３５】
画像制御ＣＰＵ１１３は、前記ＲＯＭ１１４や不揮発メモリー１１５の不揮発データを読み取り可能であり、また、所望のデータを不揮発データとして不揮発メモリー１１５に書き込むことが可能である。画像制御ＣＰＵ１１３は、上記機械設定情報や印刷設定情報、ＪＯＢ管理情報などに従って画像形成装置１の各部を動作制御する。画像制御ＣＰＵ１１３は、画像形成装置１全体を制御するものであり、本発明の画像形成制御部の主要部を構成する。また、画像制御ＣＰＵ１１３は、ＨＤＤ１２７や圧縮メモリー１２０に格納されたＪＯＢの予約、実行等の管理制御、用紙設定条件の設定、用紙プロファイルの登録、呼び出し等を行う。
【００３６】
次に、前記スキャナー部１３０は、光学読み取りを行うＣＣＤ１３１と、スキャナー部１３０全体の制御を行うスキャナー制御部１３２とを備えている。スキャナー制御部１３２は、前記画像制御ＣＰＵ１１３とシリアル通信可能に接続されている。また、前記ＣＣＤ１３１は、該ＣＣＤ１３１で読み取った画像データを処理する読み取り処理部１１６に接続され、該読み取り処理部１１６には画像データを圧縮処理する圧縮ＩＣ１１８が接続され、該圧縮ＩＣ１１８は前記したＤＲＡＭ制御ＩＣ１１１に接続されている。
【００３７】
前記操作部１４０は、表示部と入力部とを兼ね、タッチパネルで構成されるＬＣＤ１４１と、操作部全体を制御する操作部制御部１４２とを備えており、該操作部制御部１４２は前記画像制御ＣＰＵ１１３にシリアル通信可能に接続されている。操作部１４０では、画像制御ＣＰＵ１１３の制御を受けて、ＬＣＤ１４１によって、画像形成装置１における印刷設定や動作制御条件などの機械設定入力、出力に関する設定入力、給紙トレイの選択、給紙トレイにおける用紙プロファイルの選択、変更や用紙プロファイルの変更、登録削除等が可能になっており、さらに設定内容の表示、ジョブスケジュール画面、用紙プロファイルの一覧画面の表示などの所望の情報等の表示が可能になっている。さらには、各給紙トレイの用紙情報の設定（サイズ、紙種、坪量）や、出力モード設定の設定などが可能になっている。
【００３８】
また、前記ＤＲＡＭ制御ＩＣ１１１には、圧縮された画像データを伸長する伸長ＩＣ１２５が接続されており、該伸長ＩＣ１２５には書き込み処理部１２６が接続されている。
該書き込み処理部１２６は、プリンター部１５０のＬＤ部（レーザダイオード）１５２に接続され、該ＬＤ部１５２の動作に用いられる書き込みデータの処理を行う。また、
プリンター部１５０は、プリンター部１５０の全体（給紙、画像形成、排紙、後処理など）を制御するプリンター制御部１５１を備えており、プリンター制御部１５１は前記した画像制御ＣＰＵ１１３に接続されている。プリンター制御部１５１は画像制御ＣＰＵ１１３の制御指令に従って動作してプリンター部１５０を制御する。
【００３９】
また、前記ＤＲＡＭ制御ＩＣ１１１が接続されたＰＣＩバス１１２には、前記画像処理手段（プリント＆スキャナーコントローラー）１６０のＤＲＡＭ制御ＩＣ１６１が接続されている。前記画像処理手段（プリント＆スキャナーコントローラー）１６０は、画像形成装置１をネットワークプリンターやネットワークスキャナとして使用する場合に、ＬＡＮ４に接続される端末３などから画像データ等を画像形成装置１で受信したり、スキャナー部１３０で取得した画像データをＬＡＮ４に接続される端末３などに送信したりするものである。画像処理手段（プリント＆スキャナーコントローラー）１６０では、ＤＲＡＭ制御ＩＣ１６１に、ＤＲＡＭなどで構成される画像メモリー１６２が接続されている。また、画像処理手段（プリント＆スキャナーコントローラー）１６０では、共通バスに前記ＤＲＡＭ制御ＩＣ１６１と、画像処理手段１６０全体の制御を行うコントローラー制御ＣＰＵ１６３、ＬＡＮインターフェース１６５、ＨＤＤ１６６が接続されている。ＬＡＮインターフェース１６５は、ＬＡＮ４に接続されている。
【００４０】
次に、上記画像形成装置１の基本的動作について説明する。
先ず、画像形成装置１において画像データを蓄積する手順について説明する。
第１に画像形成装置１において、スキャナー部１３０で画像を読み取り画像データを生成する場合について説明する。スキャナー部１３０において原稿からＣＣＤ１３１により画像を光学的に読み取る。この際には、画像制御ＣＰＵ１１３から指令を受けるスキャナー制御部１３２によってＣＣＤ１３１の動作制御を行う。原稿の読み取りは、自動原稿搬送装置（ＡＤＦ）１３５によって行ってもよく、また、プラテンガラス上に原稿を置いて行ってもよい。
【００４１】
画像制御ＣＰＵ１１３はプログラムによって動作し、操作部１４０による操作に基づいてスキャナー部１３０への指令を発行する。ＣＣＤ１３１で読み取られた画像は、読み取り処理部１１６でデータ処理がなされ、データ処理された画像データは、圧縮ＩＣ１１８において所定の方法によって圧縮され、ＤＲＡＭ制御ＩＣ１１１を介して圧縮メモリー１２０やＨＤＤ１２７に格納される。
【００４２】
この他に画像データは、ＬＡＮ４を介して画像形成装置１に入力される。上記画像データとしては、例えば端末３などのアプリケーションプログラム等により生成されたものや他の画像形成装置により生成されたものが挙げられる。該データは、ＬＡＮ４、ＬＡＮインターフェース１６５を介して画像処理手段（プリント＆スキャナーコントローラー）１６０で受信され、ＤＲＡＭ制御ＩＣ１６１によって画像メモリー１６２やＨＤＤ１６６に一旦格納される。上記画像メモリー１６２やＨＤＤ１６６のデータは、ＰＣＩバス１１２を介してＤＲＡＭ制御ＩＣ１１１に転送され、ページメモリー１２１に一旦格納される。ページメモリー１２１に格納されたデータは、ＤＲＡＭ制御ＩＣ１１１を介して圧縮ＩＣ１１８に順次送られて圧縮処理され、ＤＲＡＭ制御ＩＣ１１１を介して圧縮メモリー１２０やＨＤＤ１２７に格納される。
【００４３】
画像形成装置１で画像出力を行う場合、上記のようにして圧縮メモリー１２０やＨＤＤ１２７に格納された画像データを、ＤＲＡＭ制御ＩＣ１１１を介して伸長ＩＣ１２５に送出してデータを伸長する。伸長したデータはＤＲＡＭ制御ＩＣ１１１を介して書き込み処理部１２６に送出して書き込みデータを生成し、ＬＤ部１５２において感光体１５３への書き込みを行う。また、プリンター部１５０では、画像制御ＣＰＵ１１３の指令を受けたプリンター制御部１５１によって給紙トレイ１６０、大容量給紙トレイ１６１、搬送路などの各部の制御が行われる。プリンター部１５０において、画像形成、用紙への転写、定着、搬送路による後処理装置（ＦＮＳ）１８０への搬送、後処理装置（ＦＮＳ）１８０での後処理などが順次行われて印刷出力が行われる。
【００４４】
なお、各給紙トレイの用紙設定条件は、操作部１４０を介して予め設定しておき、不揮発メモリー１１５に格納しておく。画像制御ＣＰＵ１１３は、各ＪＯＢの実行に際し、前記不揮発メモリー１１５に格納されたデータを読み出し、ＪＯＢで必要とされる給紙トレイを選択して、給紙を実行する。予約ＪＯＢがある場合には、設定された順序に従って、各ＪＯＢを順次実行する。また、ジョブの予約の際に給紙トレイの用紙設定条件を設定するものであってもよい。
【００４５】
各給紙トレイの用紙設定条件の設定を行う給紙トレイ設定画面１４００を図３に示す。該給紙トレイ設定画面１４００は、操作部１４０に操作入力可能に表示されるものである。
給紙トレイ設定画面１４００の左側には、給紙トレイ選択釦群１４０１が押釦可能に表示されており、図では、給紙トレイ１が選択されて給紙トレイ選択釦がハイライト表示されている。この状態で他の給紙トレイ選択釦を押釦されると、該当する給紙トレイの選択に切り替わる。
【００４６】
給紙トレイ選択釦群１４０１を除いた大半の画像領域は用紙設定条件表示欄１４０２になっている。用紙設定条件表示欄１４０２には、用紙サイズ、用紙種類、坪量、後処理の有無、速度、表裏調整、プロセス調整、などの設定内容が表示されている。また、用紙設定条件表示欄１４０２内には、設定変更釦１４０３が押釦可能に表示されている。設定変更釦１４０３を押釦すると、画面が図示しない設定変更画面に遷移し、用紙設定条件表示欄１４０２に表示されている各設定条件を変更することが可能になる。
【００４７】
また、給紙トレイ設定画面１４００には、用紙設定条件表示欄１４０２の上方側に設定呼出し釦１４０４と設定登録釦１４０５とが押釦可能に表示されている。
設定登録釦１４０５が押釦されると、用紙設定条件表示欄１４０２で示されている内容が、選択されている対象の給紙トレイに関連付けて設定登録される。登録は、不揮発メモリー１１５に対し行われる。
【００４８】
設定呼出し釦１４０４が押釦されると、用紙プロファイル一覧画面が表示される。
図４は、従来の用紙プロファイル一覧画面１４５０を示すものである。
用紙プロファイル一覧画面１４５０では、プロファイル番号欄１４５１とプロファイル名称欄１４５２、用紙サイズ欄１４５３、用紙種類欄１４５４、坪量欄１４５５、調整有無欄１４５６が横方向に沿って設けられており、それぞれの用紙プロファイルは、行方向に並んでリスト化されている。いずれかの用紙プロファイルについて上記各欄のいずれかを押釦すると、該当する用紙プロファイルが選択されて該用紙プロファイルの全ての表示欄が横方向に沿ってハイライト表示される。
【００４９】
選択された用紙プロファイルのより詳細な内容は、押釦可能に表示されている詳細確認釦１４６０を押釦することで図示しない詳細表示画面に遷移して表示される。
また、用紙プロファイル一覧画面１４５０には、削除釦１４６１が押釦可能に表示されており、用紙プロファイルのいずれかが選択されている状態で削除釦１４６１が押釦されると、該当する用紙プロファイルが削除され、削除された用紙プロファイルを除いたリストが再構築されて用紙プロファイル一覧画面１４５０に表示される。しかし、用紙プロファイルには給紙トレイの使用実績が示されていないため、重要度の判断が難しい。
【００５０】
また、用紙プロファイル一覧画面１４５０の下方部右側には、ＯＫ釦１４６２とキャンセル釦１４６３とが押釦可能に表示されている。
ＯＫ釦１４６２は、用紙プロファイルが選択されている状態で押釦されると、選択された用紙プロファイルの内容を保持して給紙トレイ設定画面１４００に復帰し、保持した内容に沿って給紙トレイ設定画面１４００の表示内容を変更する。
また、キャンセル釦１４６３を押釦すると、用紙プロファイル一覧画面１４５０で選択されている用紙プロファイルの内容を保持することなく給紙トレイ設定画面１４００に復帰し、給紙トレイ設定画面１４００の用紙設定条件は、用紙プロファイル一覧画面１４５０に遷移する前の内容が維持される。
【００５１】
しかし、従来の用紙プロファイルの一覧画面では、テスト的に作られたプロファイルか実際に使用されたものかの判断が付かず、また、現在の給紙トレイで使用された実績があるかどうかの判断も付かない。このため類似したプロファイルが多い場合、どれが使用できるかわからない。
【００５２】
これに対し、図５は、本発明による用紙プロファイル一覧画面１４１０を示すものである。用紙プロファイル一覧画面１４１０は、操作部１４０に操作入力可能に表示されるものである。
用紙プロファイル一覧画面１４１０では、従来と同様に、プロファイル番号欄１４１１とプロファイル名称欄１４１２、用紙サイズ欄１４１３、用紙種類欄１４１４、坪量欄１４１５、調整有無欄１４１６が横方向に沿って設けられており、さらに、その横方向に、本発明特有の表示欄として使用トレイ欄１４１７、印刷実績欄１４１８が設けられている。使用トレイ欄１４１７は、使用された給紙トレイの番号がハイライト表示されている。印刷実績欄１４１８は、当該用紙プロファイルによって使用された給紙トレイの印刷枚数の累積値が示されている。上記用紙プロファイルは、行方向に沿ってリスト化されている。
いずれかの用紙プロファイルについて上記各欄のいずれかを押釦すると、該当する用紙プロファイルが選択されて横方向に沿ってハイライト表示される。
【００５３】
すなわち、上記用紙プロファイル一覧画面１４１０では、用紙プロファイルと給紙トレイの使用実績が関連付けられて表示されている。なお、この例では、給紙トレイの使用実績として使用給紙トレイと印刷実績の両方が表示されているが、本発明としてはこれに限定されるものではなく、使用給紙トレイのみを表示するようにしてもよい。また、ユーザーの操作によって、使用給紙トレイ以外の印刷実績の表示の有無を切り換えできるようにしてもよく、また、給紙トレイの使用実績全体の表示の有無を切り換えできるようにしてもよい。
【００５４】
選択された用紙プロファイルの詳細な内容は、押釦可能に表示されている詳細確認釦１４２０を押釦することで図示しない詳細表示画面に遷移する。また、用紙プロファイル一覧画面１４１０には、削除釦１４２１が押釦可能に表示されており、用紙プロファイルのいずれかが選択されている状態で削除釦１４２１が押釦されると、該当する用紙プロファイルが削除され、削除された用紙プロファイルを除いたリストが再構築されて用紙プロファイル一覧画面１４１０に表示される。
【００５５】
また、用紙プロファイル一覧画面１４１０の下方部右側には、ＯＫ釦１４２２とキャンセル釦１４２３とが押釦可能に表示されている。
ＯＫ釦１４２２は、用紙プロファイルが選択されている状態で押釦されると、選択された用紙プロファイルの内容を保持して給紙トレイ設定画面１４００に復帰し、保持した内容に沿って給紙トレイ設定画面１４００の表示内容を変更する。
また、キャンセル釦１４２３を押釦すると、用紙プロファイル一覧画面１４１０で選択されている用紙プロファイルの内容を保持することなく給紙トレイ設定画面１４００に復帰し、給紙トレイ設定画面１４００の用紙設定条件は、用紙プロファイル一覧画面１４１０に遷移する前の内容が維持される。
【００５６】
なお、用紙プロファイル一覧画面１４１０では、全てのプロファイルを表示する全表示チェック釦１４２５と、現在のトレイで使用実績のあるプロファイルのみを表示するトレイ限定表示チェック釦１４２６とを有している。両チェック釦はいずれかをユーザーが選択して押釦することができ、デフォルトではいずれか一方がＯＮとなるように設定しておいてもよい。図５に示すように全表示チェック釦１４２５がＯＮされていると該チェック釦にチェック印が表示され、ＯＮ操作にしたがって、図５に示すように、全部の用紙プロファイルが用紙プロファイル一覧画面１４１０に表示される。表示しきれない用紙プロファイルは、スクロール釦１４３０の操作によって用紙プロファイルのリストをロールアップまたはロールダウンして表示することができる。全部の用紙プロファイルの表示においても用紙プロファイルと給紙トレイの使用実績とは関連付けて表示される。
【００５７】
一方、トレイ限定表示チェック釦１４２６にＯＮされていると該チェック釦にチェック印が表示され、図６に示すように該チェックにしたがって、対象としている給紙トレイで使用の実績のある用紙プロファイルに限定して用紙プロファイル一覧画面１４１０に用紙プロファイルのリストが表示される。この画面で全表示チェック釦１４２５をユーザーがＯＮすると、トレイ限定表示チェック釦１４２６のチェックが外れて全表示チェック釦１４２５にチェック印が表示され、図５に示す用紙プロファイル一覧画面１４１０によって全ての用紙プロファイルが表示される。すなわち上記両チェック釦によって表示する用紙プロファイルの切り換えが可能になっている。
給紙トレイを限定して用紙プロファイルを表示している用紙プロファイル一覧画面１４１０では、選択されている給紙トレイが異なれば、対象の給紙トレイに従って用紙プロファイルのリストが作成される。
【００５８】
次に、用紙プロファイルに給紙トレイの使用実績を関連付ける手順を図７のフローチャートに基づいて説明する。以下の手順は画像形成制御部によって実行される。
ジョブの実行が開始すると、画像形成制御部の制御によって印刷が開始される（ステップｓ１）。一枚の用紙の印刷が進むと、登録済みの用紙プロファイルを使用しているか否かの判定がなされる（ステップｓ２）。登録済みの用紙プロファイルが使用されていなければ（ステップｓ２、ＮＯ）、用紙プロファイルに使用トレイの実績を関連付ける必要はなく、処理を終了する。一方、登録済みの用紙プロファイルを使用している場合（ステップｓ２、ＹＥＳ）、使用している給紙トレイが使用している用紙プロファイルに実績のあるトレイであるかの判定を行う（ステップｓ３）。
【００５９】
実績のないトレイであれば（ステップｓ３、ＮＯ）、使用する用紙プロファイルに使用トレイを関連付けて記憶し、印刷カウンタを０にセットし（ステップｓ４）、一枚の印刷が終了するのを待機する（ステップｓ５）。一方、実績のあるトレイであれば（ステップｓ３、ＹＥＳ）、そのまま一枚の印刷が終了するのを待機する（ステップｓ５）。
一枚の印刷が終了すると（ステップｓ５、ＹＥＳ）、用紙プロファイルに関連付けた印刷カウンタに＋１をし、記憶する（ステップｓ６）。次いで、全印刷が完了したか判定し（ステップｓ７）、全頁の印刷が完了していれば（ステップｓ７、ＹＥＳ）、処理を終了し、全頁の印刷が完了していなければ（ステップｓ７、ＮＯ）、ステップｓ５に移行して次の一枚の印刷が完了するのを待機し、全頁の印刷が完了するまで上記手順を繰り返す。
【００６０】
以上の手順により用紙プロファイルに給紙トレイの使用実績を関連付けて登録することができる。
なお、上記手順では、印刷実績を印刷の都度加算するものとして説明したが、個々のジョブの履歴にプロファイル名とそのジョブでの使用実績（使用トレイ、印刷枚数）を記録しておき、必要に応じて（例えば用紙プロファイル一覧の呼び出し時）、プロファイル毎の使用実績を集計するようにしてもよい。また、上記手順では印刷実績として印刷枚数を記録しているが、ジョブ数や印刷時間などを記録してもよく、また、複数種の印刷実績を記録して複数の印刷実績または切り換えによりいずれかの印刷実績を表示するようにしてもよい。
【００６１】
次に、現在の給紙トレイに該当する用紙プロファイルの表示手順について図８のフローチャートに基づいて説明する。
この手順は、給紙トレイ設定画面１４００から用紙プロファイル一覧画面１４１０を表示する際にも実行される。
【００６２】
先ず、用紙プロファイル一覧の表示要求を受けた処理が行われる（ステップｓ２０）。すなわち、用紙プロファイル一覧画面１４１０を表示するために操作部１４０が制御される。次いで、現在のトレイの実績プロファイル表示ボタンがＯＮになっているか判定される（ステップｓ２１）。用紙プロファイル一覧画面１４１０のトレイ限定表示チェック部１４２６がこれに相当する。上記ボタンがＯＮになっていると（ステップｓ２１、ＹＥＳ）、現在のトレイで使用実績のある用紙プロファイルが不揮発メモリー１１５などから読み出される（ステップｓ２２）。一方、上記ボタンがＯＮになっていなければ（ステップｓ２１、ＮＯ）、全てのプロファイルが読み出される（ステップｓ２３）。
ステップｓ２２、ｓ２３後は、読み出された用紙プロファイル一覧が操作部１４０に表示される（ステップｓ２４）。
【００６３】
次に、用紙プロファイル一覧から特定の用紙プロファイルを削除する手順について図９のフローチャートに基づいて説明する。
先ず、用紙プロファイル一覧の表示要求を受けた処理が行われる（ステップｓ３０）。すなわち、用紙プロファイル一覧画面１４１０を表示するために操作部１４０が制御される。次いで、削除ボタンがＯＮになっているか判定され（ステップｓ３１）、ＯＮになるまで待機する（ステップｓ３１、ＮＯ）。削除ボタンがＯＮになっていると（ステップｓ３１、ＹＥＳ）、選択されている用紙プロファイルを削除し（ステップｓ３２）、用紙プロファイル一覧画面１４１０を更新して、削除した用紙プロファイルを除いて再表示する（ステップｓ３３）。上記用紙プロファイルの削除の手順では、全ての用紙ファイルを一覧に表示した際に、給紙トレイでの使用実績を参照できるので、用紙プロファイルがいずれの給紙トレイでも使用されていないなど、重要度の低いものを選択して削除することが可能になる。
【００６４】
以上、本発明について、上記実施形態に基づいて説明したが、本発明は上記実施形態の内容に限定されるものではなく、当然に本発明を逸脱しない限りは適宜の変更が可能である。
【符号の説明】
【００６５】
１  画像形成装置
１１３  画像制御ＣＰＵ
１４０  操作部
１５０  プリンター部
１４００  給紙トレイ設定画面
１４０４  設定呼出し釦
１４０５  設定登録釦
１４１０  用紙プロファイル一覧画面
１４１１  プロファイル番号欄
１４１２  プロファイル名称欄
１４１３  用紙サイズ欄
１４１４  用紙種類欄
１４１５  坪量欄
１４１６  調整有無欄
１４１７  使用トレイ欄
１４１８  印刷実績欄
１４２１  削除釦
１４２５  全表示チェック釦
１４２６  トレイ限定表示チェック釦
【図１】
0005930269.tif 000002
【図２】
0005930269.tif 000003
【図３】
0005930269.tif 000004
【図４】
0005930269.tif 000005
【図５】
0005930269.tif 000006
【図６】
0005930269.tif 000007
【図７】
0005930269.tif 000008
【図８】
0005930269.tif 000009
【図９】
0005930269.tif 000010